(57)【特許請求の範囲】
【請求項１】
本体部分（４）及び蓋部分（６）を有するハウジング（２）を具備し、前記本体部分（４）は、前記蓋部分（６）によって覆い可能でありかつダイヤフラム（３８）を収容する収容空間（８，１０）を含んでなる、車両用の特に車入れ補助システムのための音響発生器において、
前記本体部分（４）は、結合部分（２８）によって、前記蓋部分（６）と一体的に形成されており、前記本体部分（４）及び前記蓋部分（６）は互いに相対して可動であり、嵌め込み手段（２６）によって互いに嵌め込み可能であり、
前記蓋部分（６）は前記音響発生器を外部支持体に固定するための少なくとも１つの固定手段（３０）を有し、
前記音響発生器を外部支持体に固定する際に、前記本体部分（４）は前記蓋部分（６）によって捕らえられていることを特徴とする音響発生器。
【請求項２】
前記結合部分（２８）は薄手ヒンジとして形成されていることを特徴とする請求項１に記載の音響発生器。
【請求項３】
前記嵌め込み手段（２６）は係合手段として形成されていることを特徴とする請求項１又は２に記載の音響発生器。
【請求項４】
前記結合部分（２８）及び前記嵌め込み手段（２６）は、前記本体部分（４）の、向かい合っている側に設けられていることを特徴とする請求項１乃至３のいずれか１に記載の音響発生器。
【請求項５】
前記ダイヤフラム（３８）は電気的な接触手段（４０）と一体的に形成されていることを特徴とする請求項１乃至４のいずれか１に記載の音響発生器。
【請求項６】
前記収容空間（８，１０）はダイヤフラム挿入領域（８）及び接触手段挿入領域（１０）を有することを特徴とする請求項１乃至５のいずれか１に記載の音響発生器。
【請求項７】
前記ダイヤフラム挿入領域（８）は、底面（１２）と、周面に沿って及び前記底面に対し垂直方向に設けられた壁面（１４）とによって区画されており、前記底面に平行に、前記ダイヤフラム（３８）を挿入するための開口部（１６）を有することを特徴とする請求項６に記載の音響発生器。
【請求項８】
前記収容空間（８，１０）の輪郭は、前記ダイヤフラム（３８）の輪郭に又は接触手段（４０）を有する前記ダイヤフラム（３８）の輪郭に対応し、その結果、前記ダイヤフラム（３８）は、前記ダイヤフラム挿入領域（８）の前記底面（１２）に対し平行に、垂直方向に挿入可能であることを特徴とする請求項７に記載の音響発生器。
【請求項９】
接触手段挿入領域（１０）は、底面（２０）と、この底面に設けられておりかつ好ましくは前記ダイヤフラム挿入領域（８）の前記壁面（１４）に移行する２つの側壁（２２，２２´）とによって区画されていることを特徴とする請求項６乃至８のいずれか１に記載の音響発生器。
【請求項１０】
前記嵌め込み手段（２６）及び特に前記係合手段は前記２つの側壁（２２，２２´）に設けられていることを特徴とする請求項９に記載の音響発生器。
【請求項１１】
接触手段挿入領域（１０）は、前記底面（２０）から間隔をあけて前記側壁（２２，２２´）の２つの領域の間に設けられているウェブ（２４）を有することを特徴とする請求項９又は１０に記載の音響発生器。
【請求項１２】
前記本体部分（４４）には、前記ダイヤフラム（３８）の組込み位置を定める手段（３２，３２´）が設けられていることを特徴とする請求項１乃至１１のいずれか１に記載の音響発生器。
【請求項１３】
前記ダイヤフラム挿入領域（８）を区画する前記壁面（１４）は、前記接触手段挿入領域（１０）への移行領域（１８）を有することを特徴とする請求項７乃至１２のいずれか１に記載の音響発生器。
【請求項１４】
前記移行領域（１８）は２つの向かい合う壁面（３２，３２´）によって区画されており、これらの壁面の互いの間隔は、前記ダイヤフラム挿入領域（８）の前記底面（１２）に平行な方向に、前記底面（１２）から前記開口部（１６）へ拡大し、前記ダイヤフラム（３８）及び／又は前記電気的な接触手段（４０）には、側方の案内面（４２）が設けられており、前記向かい合った壁面（３２，３２´）に対し補完的に形成されていることを特徴とする請求項１３に記載の音響発生器。
【請求項１５】
前記蓋部分（６）は少なくとも１つの音響放出孔（４６）を有することを特徴とする請求項１乃至１４のいずれか１に記載の音響発生器。
【請求項１６】
前記少なくとも１つの固定手段（３０）は接合板、係合手段又は締付手段として形成されていることを特徴とする請求項１に記載の音響発生器。
【請求項１７】
前記固定手段（３０）の、前記外部支持体に向いた面は、前記本体部分（４）の前記底面（１２）に互いに平行に設けられていることを特徴とする請求項１もしくは１６に記載の音響発生器。
【請求項１８】
前記固定手段（３０）の、前記外部支持体に向いた面は、前記本体部分（４）の前記底面（１２）に対し僅かに離隔されていることを特徴とする請求項１乃至１７のいずれか１に記載の音響発生器。
【請求項１９】
前記本体部分（４）は少なくとも１つのスペーサ（３４）を有し、このスペーサによって、前記ダイヤフラム挿入領域（８）に設けられた前記ダイヤフラム（３８）は、前記ダイヤフラム挿入領域（８）の前記底面（１２）から離隔されていることを特徴とする請求項１乃至１８のいずれか１に記載の音響発生器。
【請求項２０】
前記蓋部分（６）は少なくとも１つの取付手段（３６）を有し、この取付手段は、前記蓋部分（６）及び前記本体部分（４）が互いに嵌め込まれているとき、前記ダイヤフラム（３８）を、前記取付手段（３６）と、前記ダイヤフラム挿入領域（８）の前記底面と又は前記少なくとも１つのスペーサ（３４）との間に挟むことを特徴とする請求項１乃至１９のいずれか１に記載の音響発生器。
【請求項２１】
請求項１乃至２０のいずれか１に記載の特徴を有する音響発生器のハウジング（２）を製造する方法において、
前記ハウジング（２）をプラスチックから射出成形することを特徴とする方法。
【請求項２２】
前記音響発生器用の前記ハウジング（２）を、基本型及び交換用インサートを有する鋳造用型を用いた鋳造方法によって、製造し、前記少なくとも１つの固定手段（３０）の及び／又は前記接触手段挿入領域（１０）の、形及び／又は複数の寸法のうちの少なくとも１を、鋳造用型の中の交換用インサートによって選択的に形成することができることを特徴とする、音響発生器の前記ハウジング（２）を製造する請求項２１に記載の方法。
【請求項２３】
前記音響発生器を次の方法の工程によって、すなわち、前記本体部分（４）及び前記蓋部分（６）を有する一体的なハウジング（２）を準備すること、前記ハウジング（２）の前記本体部分（４）の前記収容空間（８，１０）に、電気的な接触手段（４０）を有するダイヤフラム（３８）を挿入すること、及び、前記ハウジング（２）の前記本体部分（４）及び前記蓋部分（６）を互いに嵌め込むことによって音響発生器を組み立てることを特徴とする請求項２１又は２２に記載の方法。
【請求項２４】
前記ダイヤフラム（３８）を、前記収容空間（８，１０）の中で、前記底面（１２）に平行に、垂直方向に挿入することを特徴とする音響発生器を組み立てる請求項２３に記載の方法。
【発明の詳細な説明】
【技術分野】
【０００１】
本発明は、本体部分及び蓋部分を有するハウジングを具備し、本体部分は、蓋部分によって覆い可能でありかつダイヤフラムを収容する収容空間を含んでなる、車両用の特に車入れ補助システムのための音響発生器並びに音響発生器を製造し組み立てる方法に関する。
【背景技術】
【０００２】
車両の車入れを容易にするために、このタイプの音響発生器を用いる。この目的のために、車両の周囲における障害物は適切なセンサによって検出される。車両が、限界間隔を越えて、検出された障害物に近づくと、両者の間隔が限界間隔を下回ったことが、光学的又は音響的表示によって、車両の運転者に伝達される。車入れ補助システム（Einparkhilfesysteme）は、車両が、検出された障害物に更に近づくとき、両者の間隔が車両と障害物との間の第１の限界間隔を下回った後に、表示の強さが高められるように、設計されていることが好ましい。このことは、例えば、大きさの可変の表示要素によって及び／又は信号可聴周波数の変化によってなされることができる。運転者を続けて支援するために、光学的及び／又は音響的表示要素は、空間的な関係が車両を取り囲むセンサと夫々の表示要素との間にあるように、車両に位置決めされる。車両の後方右のフェンダに例えば１つのセンサが障害物を検出するとき、車内の客室の後方右の領域に設けられている要素によって表示がなされる。所望の情報密度に応じて、多数の表示要素、例えば多数の音響発生器が必要である。
【０００３】
車入れ補助システム用の従来知られた音響発生器は、コストをかけて互いに嵌め込まれねばならない多数の個別要素からなる。この場合、音響発生要素、例えばダイヤフラムがハウジングとしっかり結合されており、半田外し工程によってのみ取外し可能である。更に、ハウジングは別個の蓋部を有し、この蓋部は、外力の作用の際に、ハウジング下部から分離することがある。このことによって、ダイヤフラムが不意に剥き出しにされることがある。
【発明の開示】
【発明が解決しようとする課題】
【０００４】
このことを前提として、特に容易かつ安価な生産性及び高い信頼性の点で優れている音響発生器を提供するという課題が、本発明の基礎になっている。
【課題を解決するための手段】
【０００５】
この課題は、明細書導入部に記載のタイプの音量発生器の場合、本発明に基づき、本体部分が、結合部分によって、蓋部分と一体的に形成されており、本体部分及び蓋部分は互いに相対して可動であり、嵌め込み手段によって互いに嵌め込み可能であることによって解決される。
【０００６】
一体的なハウジング構造は、２つの構成要素すなわちハウジング及びダイヤフラムの嵌め込みによって既に音響発生器を製造することができることを可能にする。この場合、ハウジングは、音響発生要素、例えばダイヤフラムを位置決めするのみならず、外からの作用に対し保護するという課題を有する。提案された構造により、本体部分でのダイヤフラムの位置決めによって及び一体的なハウジングの蓋部分によりダイヤフラムを覆うことによって、位置決め機能及び保護機能を同時に実現することができる。
【０００７】
ハウジングは本体部分と蓋部分との間に結合部分を有し、この結合部分によって、本体部分及び蓋部分は互いに相対して可動である。結合部分が薄手ヒンジとして形成されていることは好都合である。このことは、ハウジングを、本体部分、蓋部分及び薄手ヒンジと１つの製造工程で射出成形品として形成することができる、という利点を有する。薄手ヒンジの適切な寸法取りによって、一方では、本体部分と蓋部分の間の十分にしっかりした材料の結合が形成され、他方では、結合部分の可塑変形又は破壊なしに本体部分と蓋部分との繋ぎ合わせを可能にするために、結合部分が十分に可撓性を有することが保証されている。このような繋ぎ合わせ工程の際に、薄手ヒンジは、薄手ヒンジの２つの部分が同一面に位置している非変形位置から、蓋部分及び本体部分と夫々結合されている部分が重なっている変形位置へともたらされる。
【０００８】
本体部分と蓋部分を互いに繋ぎ合わせることができる繋ぎ合わせ手段が係合手段として形成されていることは好都合である。このような係合手段は例えばスナップフィットとして結合されていてもよく、１つの製造工程で音響発生器のハウジングに一体成形される。このタイプの繋ぎ合わせ結合体は、確実な繋ぎ合わせ箇所を形成するために、追加の結合要素も特別な工具も不要である、という極めて重要な利点を有する。係合手段を音響発生器のプラスチック製のハウジングに形成する際に、適切な諸要素がアンダーカットなしに形成されていることができる。このことは射出成形用型の構造を簡単化する。
【０００９】
結合部分及び繋ぎ合わせ手段が、本体部分の互いに対向する側に設けられていることは好都合である。この配置によって、本体部分及び蓋部分は、互いに繋ぎ合わされた状態で、互いに最大限離隔した位置で結合されている。ハウジングの構成要素としての結合部分は、本体部分及び蓋部分を、ハウジングの第１の側で、結合している。繋ぎ合わせ手段、特に係合手段は、本体部分及び蓋部分を、ハウジングの、第２の、向かい側で結合している。外から作用する開放力（Oefnnungskraefte）を、蓋部分を本体部分から分離することなく、提案された装置によって、特に良好にハウジングから吸収することができる。
【００１０】
更に、音響発生器のハウジングに挿入されているダイヤフラムが電気的な接触手段と一体的に形成されていることは、好都合である。電気的な接触手段は、例えば、ダイヤフラムに半田付けされているかあるいは他の方法でダイヤフラムに結合されている金属舌部として、形成されている。従って、従来の技術から知られるように後で半田付け工程によって電気的な接触点を作る必要なしに、ダイヤフラムを、電気的な接触手段によって、ハウジングと繋ぎ合わせることができる。
【００１１】
収容空間が、ハウジングの本体部分で、ダイヤフラム挿入領域及び接触手段挿入領域を有することは好都合である。従って、一方では、ダイヤフラムが振動可能に挿入されている領域を用意することができ、他方では、外部から供給可能なプラグ用の電気的な差込み結合体の一部分を形成するために、電気的な接触手段が固定式に及び所定の位置に設けられている領域を作ることができる。
【００１２】
本発明の実施の形態では、ダイヤフラム挿入領域は、底面と、周面に沿って及び底面に対し垂直方向に設けられた壁面とによって区画されており、底面に平行に、ダイヤフラムを挿入するための開口部を有する。この場合、収容空間の輪郭が、ダイヤフラムの輪郭に又は接触手段を有するダイヤフラムの輪郭に対応し、その結果、ダイヤフラムが、その垂直方向に、ダイヤフラム挿入領域の底面に対し平行に挿入可能であることは、特に好都合であることが明らかになった。提案された装置によって、一方では、ダイヤフラムがハウジング内でダイヤフラムに平行な面に挿入され、他方では、ダイヤフラムが、特に簡単な嵌め込み工程によって、ハウジングの本体部分に挿入することができることが達成される。ダイヤフラム挿入領域の底面に対し垂直の方向での嵌め込み工程は特に容易に自動化され、只１つの嵌め込み方向によってプログラム記述可能でありかつ実現可能である。接触手段挿入領域が、底面と、この底面に設けられておりかつ好ましくはダイヤフラム挿入領域の壁面に移行する２つの側壁とによって区画されていることは好都合である。ダイヤフラム及び電気的な接触手段が無接触でハウジングの構成要素によって囲繞されているので、外的影響に対し保護されていることが、提案された装置によって、保証されている。更に、特に小さな構造空間が必要とされるだけである。
【００１３】
嵌め込み手段及び特に係合手段が、接触手段挿入領域を区画する２つの側壁に設けられていることは好都合である。この配列によって、追加の嵌め込み要素を準備する必要なしにハウジングの本体部分及び蓋部分の嵌め込みがなされることができることが達成される。更に、係合手段をこの領域にアンダーカットなしに形成することは特に容易である。このことによって、射出成形用型の構造は、側方のスライダ要素が型に設けられてある必要がないように単純化される。
【００１４】
更に、接触手段挿入領域が、底面から間隔をあけて側壁の２つの領域の間に設けられているウェブを有することは好都合である。ウェブ、２つの側壁によって並びに底面によって、外部から供給可能なプラグ用の、四方で区画されている開口部が形成される。プラグは開口部を通って入れられ、接触手段挿入領域によって収容される。ウェブは場合よってはプラグに作用する力を吸収することができ、蓋部分を本体部分からレバーを用いて開けることなく、力をハウジングに導くことができる。更に、外部のプラグの、正確に定められた故障の少ない案内が保証される。
【００１５】
本発明の好都合な実施の形態では、ハウジングの本体部分には、ダイヤフラムの組込み位置を定める手段が設けられている。この手段によって、ダイヤフラムを只１つの組込み位置でダイヤフラム挿入領域に入れることができることが保証される。従って、電気的な接触手段と、外部から供給可能なプラグとの結合によってダイヤフラムの電気接続が正確になされることが保証されている。組込み位置を定める手段は、例えば、移行領域に形成されていてもよい。この移行領域は、ダイヤフラム挿入領域を区画する壁面と接触手段挿入領域との間に形成されている。この場合、移行領域は、２つの互いに向かい合った壁面によって区画されている。壁面の相互の間隔は、ダイヤフラム挿入領域の底面に平行な方向に、底面から開口部に向かって拡大する。ダイヤフラム及び／又は電気的な接触手段には、側方の複数の案内面が設けられており、このような案内面は、互いに向かい合っている壁面に補完的に形成されている。従って、ダイヤフラム及び／又は電気的な接触手段を、移行領域を区画する壁面に沿って案内することができる。ダイヤフラム挿入領域へのダイヤフラムの完全な挿入が可能であるのは、ダイヤフラムが正確な組込み位置にある場合のみである。
【００１６】
音響発生器のハウジングの蓋部分が、少なくとも１つの音響放出孔と、音響発生器を外部支持体に固定するための少なくとも１つの固定手段を有するのは好都合である。この固定手段は蓋部分と一体的に形成されていてよく、従って、ハウジングと共に、例えば射出成形による製造工程で製造される。固定手段を音響発生器の蓋部分に設けることによって達成されるのは、蓋部分及び本体部分を嵌め込み、かつ音響発生器を外部支持体に固定した後に、本体部分は蓋部分によって捕らえられていることである。従って、蓋部分を本体部分から切り離すかレバーを用いて開けることが可能なのは、予め固定手段が外部支持体から取り外される場合のみである。蓋部分は本体部分と、そのダイヤフラム挿入領域と、接触手段挿入領域とを取り囲んでいる。従って、これらは外的影響から保護されている。
【００１７】
固定手段は、音響発生器の各々の組立箇所に適合して、接合板として、係合手段として又は締付手段として形成されていてもよい。固定手段を接合板として形成する際に、例えばねじのような追加の結合手段を、接合板の孔の中に案内して、外部支持体の材料、例えば薄板の中へ捻回させることができる。外部支持体もプラスチック材料からなるとき、音響発生器が係合手段又は締付手段によって外部支持体と互いに嵌め込まれることは好都合であり得る。この目的のために、外部支持体及び音響発生器は適切な係合手段又は締付手段を有することができる。
【００１８】
固定手段の、外部支持体に向いた面は、本体部分の底面に互いに平行に設けられているか、本体部分の底面に対し僅かに離隔されていることができる。このことによって、本体部分の底面が外部支持体の載置面に接触するので、本体部分が外部支持体に相対して可動でないことが達成される。外部支持体への本体部分の固定を、固定手段の、外部支持体に向いた面が、本体部分の底面に対し僅かに離隔されていることによって支持することができる。音響発生器を外部支持体に固定する際に、固定手段には僅かに応力が負荷される。このことによって、本体部分は蓋部分を介して外部支持体の載置面にしっかり押し捕らえられる。
【００１９】
本体部分が少なくとも１つのスペーサを有することは好都合である。このスペーサによって、ダイヤフラム挿入領域に設けられたダイヤフラムは、ダイヤフラム挿入領域の底面から離隔されている。従って、ダイヤフラムがダイヤフラム挿入領域内で自由に振動することができるので、ダイヤフラムを囲繞する空気を同様に振動させることができることが保証される。蓋部分は少なくとも１つの取付手段を有し、この取付手段は、蓋部分及び本体部分が互いに嵌め込まれているとき、ダイヤフラムを、取付手段と、ダイヤフラム挿入領域の底面と又は少なくとも１つのスペーサとの間に挟むことは好都合である。提案された装置によって、ダイヤフラムがハウジングに相対して可動であり、例えば、煩く感じるカタカタというノイズを引き起こすことが防止される。更に、衝撃及び振動による機械的負荷は著しく減じられる。スペーサ及び／又は取付手段はハウジングの夫々本体部分及び蓋部分に設けられた突起又は鼻部として形成されていてもよく、製造工程中に、ハウジングと共にアンダーカットなしに製造される。
【００２０】
ハウジングは好ましくはプラスチックからなり、射出成形法で製造される。この目的のために用意された鋳造用型は好ましくは基本型及び交換用インサートからなり、少なくとも１つの固定手段の及び／又は接触手段挿入領域の、形及び／又は複数の寸法のうちの少なくとも１を、鋳造用型の中の交換領域によって選択的に形成することができる。型を基本型及び交換用インサートに分割することにより、只１つの型の準備によって、音響発生器の種々に形成された多数のハウジングを形成することができる。この場合、音響発生器と外部要素との交点、すなわち、固定手段の及び接触手段挿入領域の成形を、インサートのその時々の条件に適合させることができる。更に、特別な蓄積例のための少量生産はより安価である。例えば、新たな適用例のために、基本型の構造を変更する必要なしに、所定の固定手段のための交換インサート又は新規に作られた接触手段挿入領域のための交換インサートを構成及び製造することができる。
【００２１】
本発明は音響発生器を組み立てるための方法にも関する。音響発生器は以下の方法の工程によって製造される。
【００２２】
まず、本体部分及び蓋部分を有する一体的なハウジングを準備する。次に、ハウジングの本体部分の収容空間に、電気的な接触手段を有するダイヤフラムを挿入し、最後に、蓋部分及び本体部分を互いに嵌め込む。
【００２３】
ダイヤフラムを、収容空間の中で、底面に平行に垂直方向に挿入するとき、特にそのときに、図示した方法の工程は容易に自動化可能である。
【００２４】
本発明の、他の好都合な実施の形態及び詳細は、以下の記述から読み取ることができる。
【発明を実施するための最良の形態】
【００２５】
以下の記述で、図面に示した実施の形態を参照して本発明を詳述する。図１は本発明に係わる音響発生器のハウジング２を示している。このハウジングはプラスチックからなり、本体部分４及び蓋部分６を有する。本体部分４はダイヤフラム挿入領域８及び接触手段挿入領域１０を有する。ダイヤフラム挿入領域８は底面１２と、周面に沿って及びこの底面１２に対し垂直方向に設けられた壁面１４と、図２に示したダイヤフラム３８を挿入するための開口部１６とを有する。壁面１４には、接触手段挿入領域１０への移行領域１８が形成されている。接触手段挿入領域１０は底面２０と、２つの側壁２２，２２´と、ウェブ２４とにより形成されている。ウェブ２４は側壁２２と２２´との間の底面２０に対し間隔をあけて形成されている。底面２０と、側壁２２，２２´と、ウェブ２４とから形成される開口部２５を通って、外部のプラグ（図示せず）を挿入することができる。接触手段挿入領域１０は、ダイヤフラム挿入領域８に挿入されるダイヤフラム３８と結合されている、図２に示された電気的な接触手段４０を挿入することができ、外から案内可能なプラグと電気的接続を形成することができるように、構成されている。
【００２６】
接触手段挿入領域１０の側壁２２，２２´には、係合手段２６が形成されている。本体部分４の係合手段２６は蓋部分６の係合手段２６´と協働することができる。この場合、係合手段２６の突起は係合手段２６´の突起と係合位置にある。係合手段２６´は、アンダーカットなしに製造することができるように構成されている。このために、蓋部分６には対応の開口部２７が設けられている。
【００２７】
蓋部分６は、薄手ヒンジ（Filmscharnier）２８によって、本体部分４に結合されているので、本体部分４と蓋部分６を嵌め込む際に、回動軸２９を中心にした回動によって、一方では薄手ヒンジ２８によって、他方では係合手段２６，２６´によって結合がなされる。蓋部分６は固定手段３０を有する。これらの固定手段を用いて、蓋部分６及びその中に捕らえられる本体部分４を、図示しない外部支持体に固定することができる。図１に示した実施の形態では、固定手段３０は締付ねじを受け入れる接合板として形成されている。
【００２８】
本体部分４及び蓋部分６は、ダイヤフラムの取付位置を定める他の複数の要素を有する。本体部分４には、壁面１４を区画しかつ移行領域１８を形成する機能面３２，３２´が設けられており、機能面３２はダイヤフラム挿入領域８の底面１２に垂直の方向に対し斜めに延びている。機能面３２は、挿入されるダイヤフラム３８の際に設けられた、図２に示した補完的な形状の面４２と協働する。従って、ダイヤフラム３８を、１つの取付位置でのみ本体部分４に挿入することができる。本体部分４には、更に、複数のスペーサ３４が設けられており、これらのスペーサは挿入されるダイヤフラム３８を底面１２から離隔する。蓋部分６には、複数の取付手段３６が設けられている。蓋部分６と本体部分４が互いに嵌め込まれるとき、取付手段によって、スペーサ３４の上に載せられたダイヤフラム３８がしっかり保持される。
【００２９】
図２は電気的な接触手段４０を有するダイヤフラム３８を示している。電気的な接触手段４０をダイヤフラム３８に取着する箇所は、ハウジング２の本体部分４に形成された機能面３２と協働することができる機能面４２が設けられているように、構成されている。機能面４２はダイヤフラム３８に垂直な方向に対し斜めに延びており、機能面３２に補完的に形作られている。機能面３２及び３４の協働によって、ダイヤフラム３８を、１つの取付位置でのみ、本体部分４に形成されたダイヤフラム挿入領域８に挿入することができる。このことによって、ダイヤフラム３８と結合されかつ接触手段挿入領域１０に挿入された電気的な接触手段４０は、音響発生器のハウジング２に相対して定められかつエラーに対し保護された位置へもたらされる。このことによって、外部から案内可能なプラグへの電気的接続が正確になされる。
【００３０】
電気的な接触手段４０を有する、図２に示したダイヤフラム３８を、本体部分４に挿入することができる。それ故に、ダイヤフラム３８はダイヤフラム挿入領域８へ挿入され、電気的な接触手段４０は接触手段挿入領域１０へ挿入される。この場合、電気的な接触手段４０を有するダイヤフラム３８を、底面１２，２０に垂直な方向に導くことができる。ダイヤフラムは底面１２，２０に実質的に平行に延びている。回動軸２９を中心として蓋部分６及び本体部分４を回動することによって、本体部分４及び蓋部分６は互いに嵌め込まれる。このとき、係合手段２６は係合手段２６´と係合している。
【００３１】
図３は、組み立ての終了した状態にある、本発明に係わる第２の音響発生器を示している。音響発生器を、固定手段３０´によって、図示しない外部支持体に固定することができる。この音響発生器の場合、固定手段３０´は、外部支持体と結合されているか又は支持体に形成されている図示しない係合手段が係合することができる相手方である開口部３１を有する。固定手段３０´が蓋部分６に形成されていることによって、外部支持体に音響発生器を取り付ける際に、本体部分４は蓋部分６によって捕らえられている。本体部分４からの蓋部分６の取外しは、音響発生器が予め固定手段３０´の解除によって外部支持体から外されるときにのみ、可能である。
【００３２】
ダイヤフラム３８の電気的接続は、図示しないプラグを矢印４４の方向に挿入することによってなされる。従って、プラグは、接触手段挿入領域１０に挿入されている電気的な接触手段４０と、電気的接続を形成することができる。ハウジング２の内部に設けられたダイヤフラム３８は、蓋部分６に設けられた音響放出用開口部４６を通って、信号音を、音響発生器の周囲へ放出する。
【図面の簡単な説明】
【００３３】
【図１】本発明に係わる音響発生器のハウジングの斜視図を示している。
【図２】電気的接触手段を有するダイヤフラムの斜視図を示している。
【図３】組み立てが完了した状態にある本発明に係わる音響発生器を示している。
【図１】
0003711132.tif 000002
【図２】
0003711132.tif 000003
【図３】
0003711132.tif 000004